(57)【要約】【課題】セッションの設定条件情報を複雑化させずとも、ユーザ端末の位置関連情報に特有の付加サービスをユーザ端末（３０）に提供可能とする。【解決手段】本発明のセッション設定方法は、セッション制御ノード（１２）が、ユーザ端末（３０）の位置関連情報を含む登録要求信号を受信する工程と、セッション制御ノード（１２）が、前記位置関連情報を含む設定条件要求信号を設定条件管理サーバ（１３）に送信する工程と、設定条件管理サーバ（１３）が、前記位置関連情報に関連付けられた設定条件情報をセッション制御ノード（１２）に送信する工程と、セッション制御ノード（１２）が、ユーザ端末（３０）からのセッション設定要求信号が受信された場合に、前記設定条件情報が示すアプリケーションサーバ（１４）に対して、前記セッション設定要求信号を転送する工程と、を有する。【選択図】図５
2013012814.tif 000002
【特許請求の範囲】
【請求項１】
ユーザ端末のセッションを制御するセッション制御ノードが、前記ユーザ端末の位置関連情報を含む登録要求信号を受信する工程と、
前記セッション制御ノードが、前記登録要求信号が受信された場合、前記位置関連情報を含む設定条件要求信号を設定条件管理サーバに送信する工程と、
前記設定条件管理サーバが、前記設定条件要求信号が受信された場合、前記位置関連情報に関連付けられた設定条件情報を前記セッション制御ノードに送信する工程と、
前記セッション制御ノードが、前記ユーザ端末からのセッション設定要求信号が受信された場合に、前記設定条件情報が示すアプリケーションサーバに対して、前記セッション設定要求信号を転送する工程と、
を有することを特徴とするセッション設定方法。
【請求項２】
前記位置関連情報は、前記ユーザ端末の位置を示す位置情報、前記ユーザ端末が接続するアクセスネットワークの種別を示すアクセスネットワーク種別情報及び前記アクセスネットワークを識別するアクセスネットワーク識別情報の少なくとも１つであることを特徴とする請求項１に記載のセッション設定方法。
【請求項３】
位置関連情報と、ユーザ端末のセッションを設定するための設定条件情報とを関連付けて記憶する記憶部と、
前記ユーザ端末のセッションを制御するセッション制御ノードから、該ユーザ端末の位置関連情報を含む設定条件要求信号を受信する受信部と、
前記受信部によって前記設定条件要求信号が受信された場合、前記記憶部において前記位置関連情報に関連付けられた設定条件情報を前記セッション制御ノードに送信する送信部と、
を具備することを特徴とする設定条件管理サーバ。
【請求項４】
前記位置関連情報は、前記ユーザ端末の位置を示す位置情報、前記ユーザ端末が接続するアクセスネットワークの種別を示すアクセスネットワーク種別情報及び前記アクセスネットワークを識別するアクセスネットワーク識別情報の少なくとも１つであることを特徴とする請求項３に記載の設定条件管理サーバ。
【請求項５】
ユーザ端末のセッションを制御するセッション制御ノードであって、
前記ユーザ端末の位置関連情報を含む登録要求信号が受信された場合に、前記位置関連情報を含む設定条件要求信号を設定条件管理サーバに送信する送信部と、
前記設定条件管理サーバから、前記位置関連情報に関連付けられた設定条件情報を受信する受信部と、を具備し、
前記送信部は、前記ユーザ端末からのセッション設定要求信号が受信された場合に、前記設定条件情報が示すアプリケーションサーバに対して、該セッション設定要求信号を転送することを特徴とするセッション制御ノード。
【請求項６】
前記位置関連情報は、前記ユーザ端末の位置を示す位置情報、前記ユーザ端末が接続するアクセスネットワークの種別を示すアクセスネットワーク種別情報及び前記アクセスネットワークを識別するアクセスネットワーク識別情報の少なくとも１つであることを特徴とする請求項５に記載のセッション制御ノード。
【請求項７】
ユーザ端末のセッションを制御するセッション制御ノードと、
位置関連情報と、前記セッションを設定するための設定条件情報とを関連付けて記憶する設定条件管理サーバとを具備し、
前記セッション制御ノードは、
前記ユーザ端末の位置関連情報を含む登録要求信号が受信された場合に、前記位置関連情報を含む設定条件要求信号を設定条件管理サーバに送信し、
前記設定条件管理サーバから、前記位置関連情報に関連付けられた設定条件情報を受信し、
前記ユーザ端末からのセッション設定要求信号が受信された場合に、前記設定条件情報が示すアプリケーションサーバに対して、該セッション設定要求信号を転送することを特徴とする移動通信システム。
【請求項８】
前記位置関連情報は、前記ユーザ端末の位置を示す位置情報、前記ユーザ端末が接続するアクセスネットワークの種別を示すアクセスネットワーク種別情報及び前記アクセスネットワークを識別するアクセスネットワーク識別情報の少なくとも１つであることを特徴とする請求項７に記載の移動通信システム。
【発明の詳細な説明】
【技術分野】
【０００１】
本発明は、ユーザ端末のセッションを設定するためのセッション設定方法、設定条件管理サーバ、セッション制御ノード及び移動通信システムに関する。
【背景技術】
【０００２】
３ＧＰＰ国際標準では、ＩＰベースのマルチメディア通信サービスを提供することを目的として、ＩＰマルチメディアサブシステム（ＩＭＳ：ＩＰ  Ｍｕｌｔｉｍｅｄｉａ  Ｓｕｂｓｙｓｔｅｍ）が検討されている。ＩＭＳでは、プレゼンスサービス、会議電話、通訳電話等の付加サービスが、アプリケーションサーバ（以下、ＡＳと呼ぶ）で提供される。
【０００３】
ＩＭＳでは、ユーザ端末のセッション制御を行うＳ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）は、上述のような付加サービスがユーザ端末によって要求される場合、当該付加サービスを提供するＡＳと当該ユーザ端末とのセッションを設定させる必要がある。このようなセッションの設定条件は、ｉｎｉｔｉａｌ  Ｆｉｌｔｅｒ  Ｃｒｉｔｅｒｉａ（以下では、「ｉＦＣ」と呼ぶ）で規定される。Ｓ−ＣＳＣＦは、ユーザの認証情報やサービス情報を保持するデータベースであるＨＳＳ（Ｈｏｍｅ  Ｓｕｂｓｃｒｉｂｅｒ  Ｓｅｒｖｅｒ）からｉＦＣを取得し、取得したｉＦＣが示すＡＳとユーザ端末とのセッションを設定する（非特許文献１参照）。
【先行技術文献】
【非特許文献】
【０００４】
【非特許文献１】３ＧＰＰ  ＴＳ２３．２２８  ”IP  Multimedia  Subsystem(IMS);  Stage  2”
【発明の概要】
【発明が解決しようとする課題】
【０００５】
ところで、ＩＭＳで提供される一部の付加サービスは、ユーザ端末の位置や、ユーザ端末が接続するアクセスネットワーク種別や、当該アクセスネットワークを提供する事業者などに特有のものがある。例えば、「通訳電話」などの付加サービスは、ユーザ端末の位置が「海外」の位置を示す場合や、ユーザ端末のアクセスネットワークを提供する事業者が「海外」の事業者である場合などに、特有のものである。
【０００６】
しかしながら、以上のようなユーザ端末の位置及びアクセスネットワーク種別、当該アクセスネットワークを提供する事業者などといったユーザ端末の位置関連情報に特有の付加サービスを提供しようとする場合、当該位置関連情報を判断するために、ｉＦＣに規定されるセッションの設定条件情報が複雑化するという問題点があった。
【０００７】
本発明は、かかる点に鑑みてなされたものであり、セッションの設定条件情報を複雑化させずとも、ユーザ端末の位置関連情報に特有の付加サービスをユーザ端末に提供可能なセッション設定方法、設定条件管理サーバ、セッション制御ノード及び移動通信システムを提供することを目的とする。
【課題を解決するための手段】
【０００８】
本発明の第１側面に係るセッション設定方法は、ユーザ端末のセッションを制御するセッション制御ノードが、前記ユーザ端末の位置関連情報を含む登録要求信号を受信する工程と、前記セッション制御ノードが、前記登録要求信号が受信された場合、前記位置関連情報を含む設定条件要求信号を設定条件管理サーバに送信する工程と、前記設定条件管理サーバが、前記設定条件要求信号が受信された場合、前記位置関連情報に関連付けられた設定条件情報を前記セッション制御ノードに送信する工程と、前記セッション制御ノードが、前記ユーザ端末からのセッション設定要求信号が受信された場合に、前記設定条件情報が示すアプリケーションサーバに対して、前記セッション設定要求信号を転送する工程と、を有することを特徴とする。
【０００９】
この構成によれば、セッション制御ノードが、位置関連情報に関連付けられた設定条件情報を設定条件管理サーバから受信し、当該設定条件情報が示すアプリケーションサーバに対してユーザ端末からのセッション設定要求信号を転送する。このため、設定条件情報内において位置関連情報に関する判定条件を含める必要がなく、設定条件情報を複雑化させずとも、ユーザ端末の位置関連情報に特有の付加サービスを提供するアプリケーションサーバとユーザ端末との間のセッションを設定でき、当該付加サービスをユーザ端末に提供できる。
【００１０】
本発明の第２側面に係る設定条件管理サーバは、位置関連情報と、ユーザ端末のセッションを設定するための設定条件情報とを関連付けて記憶する記憶部と、前記ユーザ端末のセッションを制御するセッション制御ノードから、該ユーザ端末の位置関連情報を含む設定条件要求信号を含む設定条件要求信号を受信する受信部と、前記受信部によって前記設定条件要求信号が受信された場合、前記記憶部において前記位置関連情報に関連付けられた設定条件情報を前記セッション制御ノードに送信する送信部と、を具備することを特徴とする。
【００１１】
本発明の第３側面に係るセッション制御ノードは、ユーザ端末のセッションを制御するセッション制御ノードであって、前記ユーザ端末の位置関連情報を含む登録要求信号が受信された場合に、前記位置関連情報を含む設定条件要求信号を設定条件管理サーバに送信する送信部と、前記設定条件管理サーバから、前記位置関連情報に関連付けられた設定条件情報を受信する受信部と、を具備し、前記送信部は、前記ユーザ端末からのセッション設定要求信号が受信された場合に、前記設定条件情報が示すアプリケーションサーバに対して、該セッション設定要求信号を転送することを特徴とする。
【００１２】
本発明の第４側面に係る移動通信システムは、ユーザ端末のセッションを制御するセッション制御ノードと、位置関連情報と、前記セッションを設定するための設定条件情報とを関連付けて記憶する設定条件管理サーバとを具備し、前記セッション制御ノードは、前記ユーザ端末の位置関連情報を含む登録要求信号が受信された場合に、前記位置関連情報を含む設定条件要求信号を設定条件管理サーバに送信し、前記設定条件管理サーバから、前記位置関連情報に関連付けられた設定条件情報を受信し、前記ユーザ端末からのセッション設定要求信号が受信された場合に、前記設定条件情報が示すアプリケーションサーバに対して、該セッション設定要求信号を転送することを特徴とする。
【発明の効果】
【００１３】
本発明によれば、セッションの設定条件情報を複雑化させずとも、ユーザ端末の位置関連情報に特有の付加サービスをユーザ端末に提供可能なセッション設定方法、設定条件管理サーバ、セッション制御ノード及び移動通信システムを提供できる。
【図面の簡単な説明】
【００１４】
【図１】本実施の形態に係る移動通信システムの概略構成図である。
【図２】本実施の形態に係るＨＳＳの機能構成図である。
【図３】本実施の形態に係るＨＳＳのｉＦＣ記憶部の記憶内容の一例を示す図である。
【図４】本実施の形態に係るＳ−ＣＳＣＦの機能構成図である。
【図５】本実施の形態に係るユーザ端末の登録処理時の動作を示すシーケンス図である。
【図６】本実施の形態に係るＨＳＳにおけるｉＦＣの更新処理時の動作を示すシーケンス図である。
【発明を実施するための形態】
【００１５】
以下、本発明の実施の形態について図面を参照して詳細に説明する。
【００１６】
図１は、本実施の形態に係る移動通信システムの概略構成図である。図１に示すように、本実施の形態に係る移動通信システムでは、事業者Ａ（例えば、国内の事業者）の提供するＩＭＳ１０と事業者Ｂ（例えば、海外の事業者）の提供するＩＭＳ２０とが相互に接続されている。
【００１７】
図１に示す移動通信システムにおいて、事業者Ａに加入するユーザ端末３０は、事業者ＡのＩＭＳ１０に接続可能に構成されている。また、ユーザ端末３０は、事業者ＢのＩＭＳ２０を介して、事業者ＡのＩＭＳ１０に接続可能に構成されている。このように、事業者Ａに加入するユーザ端末３０が、異なる事業者ＢのＩＭＳ２０を介して事業者ＡのＩＭＳ１０に接続することを「ローミングアウト」という。
【００１８】
なお、図示しないが、ユーザ端末３０は、アクセスネットワークを介して、ＩＭＳ１０及びＩＭＳ２０に接続される。かかるアクセスネットワークには、ＵＴＲＡＮ、Ｅ−ＵＴＲＡＮ、ＷＬＡＮ（ＩＥＥＥ  ８０２．１１ａ）、ＷｉＭＡＸなどの各種無線アクセスネットワークや、ＣＮ、ＥＰＣなどの各種ＩＰ移動伝達ネットワークが含まれてもよい。
【００１９】
事業者ＡのＩＭＳ１０は、ユーザ端末３０のアクセスネットワーク（不図示）とのインタフェース機能を有するＰ−ＣＳＣＦ（Ｐｒｏｘｙ  ＣＳＣＦ）１１と、Ｐ−ＣＳＣＦ１１とＰ−ＣＳＣＦ２１とに接続され、ユーザ端末３０のセッション制御を行うＳ−ＣＳＣＦ１２（Ｓｅｒｖｉｎｇ  ＣＳＣＦ）と、Ｓ−ＣＳＣＦ１２に接続され、ユーザ端末３０のユーザ情報を管理するＨＳＳ（Ｈｏｍｅ  Ｓｕｂｓｃｒｉｂｅｒ  Ｓｅｒｖｅｒ）１３と、Ｓ−ＣＳＣＦ１２に接続され、通訳電話等の付加サービスを提供するＡＳ（Ａｐｌｉｃａｔｉｏｎ  Ｓｅｒｖｅｒ）１４Ａ及び１４Ｂと、を含む。なお、ＡＳ１４Ａ及びＡＳ１４Ｂを区別しない場合、ＡＳ１４と総称する。
【００２０】
事業者ＢのＩＭＳ２０は、ユーザ端末３０のアクセスネットワーク（不図示）とのインタフェース機能を有するＰ−ＣＳＣＦ（Ｐｒｏｘｙ  ＣＳＣＦ）２１を含む。
【００２１】
図１に示す移動通信システムにおいて、事業者Ｂにローミングアウトしているユーザ端末３０は、Ｐ−ＣＳＣＦ２１を介して、事業者ＡのＳ−ＣＳＣＦ１２に対する登録処理を行う。Ｓ−ＣＳＣＦ１２（セッション制御ノード）は、ユーザ端末３０の登録処理において、ユーザ端末３０の位置関連情報に関連付けられたｉＦＣ（設定条件情報）をＨＳＳ１３（設定条件管理サーバ）から取得する。Ｓ−ＣＳＣＦ１２は、取得したｉＦＣが示すＡＳ１４とユーザ端末３０との間でセッションを設定する。
【００２２】
ここで、ｉＦＣとは、ユーザ端末３０のセッションを設定するための設定条件情報である。例えば、ｉＦＣには、ＡＳ１４にＳＩＰ信号（例えば、後述する「ＩＮＶＩＴＥ」）を転送するための各種条件を示すトリガポイント、ＡＳ１４のアドレスなどが含まれる。
【００２３】
また、位置関連情報とは、ユーザ端末３０の位置に関連する各種情報であり、ユーザ端末３０の位置を示す位置情報、ユーザ端末３０が接続するアクセスネットワークの種別（例えば、３ＧＰＰのＵＴＲＡＮ、ＷＬＡＮ（ＩＥＥＥ  ８０２．１１ａ）など）を示すアクセスネットワーク種別情報、当該アクセスネットワーク（すなわち、当該アクセスネットワークを提供する事業者）を識別するアクセスネットワーク識別情報の少なくとも１つを含む。これらの位置関連情報は、ＳＩＰ信号（例えば、後述する「ＲＥＧＩＳＴＥＲ」）を用いて、ユーザ端末３０からＳ−ＣＳＣＦ１２に通知される。
【００２４】
なお、本実施の形態に係る移動通信システムは、図１に示す構成に限られるものではない。例えば、ＩＭＳ１０において、Ｓ−ＣＳＣＦ１２を他ネットワークから隠ぺいする機能を有するＩ−ＣＳＣＦ（Ｉｎｔｅｒｏｇａｔｉｎｇ−ＣＳＣＦ）などの各種ノードが設けられてもよい。また、ＩＭＳ２０においても、ＩＭＳ１０と同様に各種ノードが設けられてもよい。
【００２５】
また、本実施の形態に係る移動通信システムにおいては、Ｓ−ＣＳＣＦ１２がＳＩＰ（Ｓｅｓｓｉｏｎ  Ｉｎｉｔｉａｔｉｏｎ  Ｐｒｏｔｏｒｏｃｌ）を用いてユーザ端末３０のセッションを制御する例を説明する。しかしながら、ＳＩＰ以外のセッション制御プロトコルを用いて、ユーザ端末３０のセッションを制御してもよい。
【００２６】
次に、本実施の形態に係る移動通信システムの詳細機能構成を説明する。なお、本実施の形態に係る通移動信システムを構成する各装置（Ｓ−ＣＳＣＦ１２、ＨＳＳ１３など）は、通信インタフェース、プロセッサ、メモリ、送受信回路などを含むハードウェアを有しており、メモリには、プロセッサによって実行されるソフトウェアモジュールが記憶されている。後述する各装置の機能構成は、上述のハードウェアによって実現されてもよいし、プロセッサによって実行されるソフトウェアモジュールによって実現されてもよいし、両者の組み合わせによって実現されてもよい。
【００２７】
図２は、本実施の形態に係るＨＳＳ１３の機能構成図である。図２に示すように、ＨＳＳ１３は、送受信部１３１（送信部、受信部）と、ｉＦＣ記憶部１３２（記憶部）と、ｉＦＣ配信処理部１３３と、更新通知処理部１３４と、を具備する。
【００２８】
送受信部１３１は、Ｓ−ＣＳＣＦ１２との間で信号を送受信する。具体的には、送受信部１３１は、Ｓ−ＣＳＣＦ１２からのｉＦＣ要求信号（後述）を受信する。また、送受信部１３１は、Ｓ−ＣＳＣＦ１２に対してｉＦＣや更新通知信号（後述）を送信する。
【００２９】
ｉＦＣ記憶部１３２は、位置関連情報とｉＦＣとを関連付けて記憶する。図３は、ｉＦＣ記憶部１３２の記憶内容の一例を示す図である。図３に示すように、ｉＦＣ記憶部１３２は、ｉＦＣと、位置関連情報としてのアクセスネットワーク識別情報、位置情報及びアクセスネットワーク種別情報と、を関連付けて記憶する。例えば、図３において、ｉＦＣ＃１は、事業者Ａによって提供されるアクセスネットワークＡと、位置「ＣＣ」と、アクセスネットワーク種別「３ＧＰＰ−ＵＴＲＡＮ−ＴＤＤ」と、に関連付けられている。また、ｉＦＣ＃２は、事業者Ｂによって提供されるアクセスネットワークＢと、位置「ＤＤ」と、アクセスネットワーク種別「ＩＥＥＥ−８０２．１１ａ」と、に関連付けられている。
【００３０】
ｉＦＣ配信処理部１３３は、位置関連情報を含むｉＦＣ要求信号をＳ−ＣＳＣＦ１２から受信する。ここで、ｉＦＣ要求信号とは、Ｓ−ＣＳＣＦ１２が、ＨＳＳ１３に対して、ｉＦＣの配信を要求する設定条件要求信号である。後述するように、ｉＦＣ要求信号は、Ｓ−ＣＳＣＦ１２におけるユーザ端末３０の登録処理時にＳ−ＣＳＣＦ１２から送信される。なお、ｉＦＣ要求信号としては、例えば、「Ｄｉａｍｅｔｅｒ  ＳＡＲ（Server-Assignment-Request）」が用いられてもよい。
【００３１】
また、ｉＦＣ配信処理部１３３は、ｉＦＣ要求信号に含まれる位置関連情報に関連付けられたｉＦＣをｉＦＣ記憶部１３２から取得する。例えば、事業者Ｂによって提供されるアクセスネットワークＢを示すアクセスネットワーク識別情報が位置関連情報としてｉＦＣ要求信号に含まれる場合、当該アクセスネットワークＢに関連付けられたｉＦＣ＃２をｉＦＣ記憶部１３２から取得する。ｉＦＣ配信処理部１３３は、取得したｉＦＣを、送受信部１３１を介してＳ−ＣＳＣＦ１２に送信する。なお、ｉＦＣは、例えば、「Ｄｉａｍｅｔｅｒ  ＳＡＡ（Server-Assignment-Answer）」を用いてＳ−ＣＳＣＦ１２に送信される。
【００３２】
更新通知処理部１３４は、ｉＦＣ記憶部１３２に記憶されたｉＦＣが更新された場合、Ｓ−ＣＳＣＦ１２に対して更新通知信号を送信する。ここで、更新通知信号とは、ｉＦＣの更新を通知する信号である。更新通知信号には、Ｓ−ＣＳＣＦ１２で更新されるべきｉＦＣの更新内容などが含まれる。なお、ｉＦＣは、例えば、ユーザ端末３０の契約変更がＨＳＳ１３に通知された場合などに更新される。また、更新通知信号としては、例えば、「Ｄｉａｍｅｔｅｒ  ＰＰＲ（Push-Profile-Request）」が用いられてもよい。
【００３３】
図４は、本実施の形態に係るＳ−ＣＳＣＦ１２の機能構成図である。図４に示すように、Ｓ−ＣＳＣＦ１２は、送受信部１２１、登録処理部１２２、ｉＦＣ記憶部１２３、セッション制御部１２４、ｉＦＣ更新処理部１２５を具備する。
【００３４】
送受信部１２１は、ＨＳＳ１３との間で信号を送受信する。具体的には、送受信部１２１は、ｉＦＣ要求信号をＨＳＳ１３に送信し、ｉＦＣや更新通知信号をＨＳＳ１３から受信する。また、送受信部１２１は、Ｐ−ＣＳＣＦ１１又はＰ−ＣＳＣＦ２１を介してユーザ端末３０との間で信号を送受信する。具体的には、送受信部１２１は、ユーザ端末３０からの「ＲＥＧＩＳＴＥＲ」（後述）、「ＩＮＶＩＴＥ」（後述）を受信し、受信した「ＲＥＧＩＳＴＥＲ」や「ＩＮＶＩＴＥ」に対する応答信号（例えば、「２００  ＯＫ」）をユーザ端末３０に送信する。また、送受信部１２１は、ＡＳ１４との間で信号を送受信する。
【００３５】
登録処理部１２２は、ユーザ端末３０の登録処理を行う。具体的には、登録処理部１２２は、Ｐ−ＣＳＣＦ１１又はＰ−ＣＳＣＦ２１を介して、ユーザ端末３０からの「ＲＥＧＩＳＴＥＲ」が受信された場合、「ＲＥＧＩＳＴＥＲ」に含まれる位置関連情報を含むｉＦＣ要求信号を、送受信部１２１を介してＨＳＳ１３に送信する。
【００３６】
ここで、「ＲＥＧＩＳＴＥＲ」とは、Ｓ−ＣＳＣＦ１２におけるユーザ端末３０の登録処理を要求する登録要求信号である。上述のように、「ＲＥＧＩＳＴＥＲ」は、ユーザ端末３０の位置登録情報として、位置情報、アクセスネットワーク種別情報、アクセスネットワーク識別情報の少なくとも１つを含む。なお、位置情報としては、「ＲＥＧＩＳＴＥＲ」の「Ｐ−Ａｃｃｅｓｓ−Ｎｅｔｗｏｒｋ−Ｉｎｆｏ」に含まれるセル情報が用いられてもよい。また、アクセスネットワーク種別情報としては、「ＲＥＧＩＳＴＥＲ」の「Ｐ−Ａｃｃｅｓｓ−Ｎｅｔｗｏｒｋ−Ｉｎｆｏ」に含まれる情報が用いられてもよい。また、アクセスネットワーク識別情報としては、「ＲＥＧＩＳＴＥＲ」の「Ｐ−Ｖｉｓｉｔｅｄ−Ｎｅｔｗｏｒｋ−ＩＤ」に含まれるネットワークＩＤが用いられてもよい。
【００３７】
また、登録処理部１２２は、ｉＦＣ要求信号に含まれる位置関連情報に関連付けられたｉＦＣをＨＳＳ１３から取得する。具体的には、登録処理部１２２は、位置関連情報として含まれる位置情報、アクセスネットワーク識別情報、アクセスネットワーク種別情報の少なくとも１つに関連付けられたｉＦＣをＨＳＳ１３から取得する。例えば、事業者Ｂによって提供されるアクセスネットワークＢを示すアクセスネットワーク識別情報を位置関連情報として含むｉＦＣ要求信号がＨＳＳ１３に送信された場合、登録処理部１２２は、当該アクセスネットワークＢに関連付けられたｉＦＣ＃２を取得する。
【００３８】
また、登録処理部１２２は、ＨＳＳ１３から取得されたｉＦＣをｉＦＣ記憶部１２３に登録する。ｉＦＣ記憶部１２３では、ユーザ端末３０と取得されたｉＦＣとが関連付けて記憶されてもよい。登録処理部１２２は、ｉＦＣ記憶部１２３に対するｉＦＣの登録処理が完了すると、ユーザ端末３０に対して、「ＲＥＧＩＳＴＥＲ」に対する応答信号（例えば、「２００  ＯＫ」）を、送受信部１２１を介して送信する。
【００３９】
セッション制御部１２４は、ＳＩＰ信号を用いて、ユーザ端末３０のセッションを制御する。具体的には、セッション制御部１２４は、送受信部１２１でユーザ端末３０からの「ＩＮＶＩＴＥ」が受信された場合に、ｉＦＣ記憶部１２３に記憶されたユーザ端末３０のｉＦＣが示すＡＳ１４に「ＩＮＶＩＴＥ」を転送する。
【００４０】
ここで、「ＩＮＶＩＴＥ」とは、ユーザ端末３０のセッションの設定を要求するセッション設定要求信号である。ｉＦＣが示すＡＳ１４に「ＩＮＶＩＴＥ」が転送されることにより、ユーザ端末３０とＡＳ１４との間にセッションが設定される。当該ＡＳ１４が提供する付加サービスは、設定されたセッションを用いて、ユーザ端末３０に提供される。
【００４１】
ｉＦＣ更新処理部１２５は、送受信部１２１によってＨＳＳ１３からの更新要求信号が受信された場合に、ｉＦＣの更新処理を行う。
【００４２】
次に、本実施の形態に係る移動通信システムの動作について説明する。具体的には、（１）ユーザ端末３０の登録処理時の動作と、（２）ＨＳＳ１３におけるｉＦＣの更新処理時の動作について説明する。
【００４３】
（１）ユーザ端末３０の登録処理時の動作
図５は、ユーザ端末３０の登録処理時の動作を示すシーケンス図である。なお、図５において、ユーザ端末３０のアクセスネットワーク及びＰ−ＣＳＣＦ２１は事業者Ｂによって提供され、Ｓ−ＣＳＣＦ１２、ＨＳＳ１３及びＡＳ１４は事業者Ａによって提供されるものとする。また、事業者Ａに加入するユーザ端末３０は、事業者Ｂの提供するＩＭＳ２０にローミングアウトしているものとする。
【００４４】
図５に示すように、ユーザ端末３０は、アクセスネットワーク（不図示）を介して、Ｐ−ＣＳＣＦ２１に対して「ＲＥＧＩＳＴＥＲ」を送信する（ステップＳ１０１）。上述のように、「ＲＥＧＩＳＴＥＲ」とは、Ｓ−ＣＳＣＦ１２におけるユーザ端末３０の登録処理を要求する登録要求信号である。Ｐ−ＣＳＣＦ２１は、ユーザ端末３０からの「ＲＥＧＩＳＴＥＲ」をＳ−ＣＳＣＦ１２に転送する（ステップＳ１０２）。なお、Ｐ−ＣＳＣＦ２１は、例えば、Ｉ−ＣＳＣＦなどの不図示の各種ノードを介して、「ＲＥＧＩＳＴＥＲ」をＳ−ＣＳＣＦ１２に送信してもよい。
【００４５】
Ｓ−ＣＳＣＦ１２は、ＨＳＳ１３に対して、ＨＳＳ１３におけるユーザ端末３０の認証を要求する「Ｄｉａｍｅｔｅｒ  ＭＡＲ（Multimedia-Auth-Request）」を送信する（ステップＳ１０３）。ＨＳＳ１３は、ＨＳＳ１３におけるユーザ端末３０の認証結果を示す「Ｄｉａｍｅｔｅｒ  ＭＡＡ（Multimedia-Auth-Answer）」を送信する（ステップＳ１０４）。
【００４６】
Ｓ−ＣＳＣＦ１２は、認証要求を示す「４０１  Ｕｎａｕｔｈｏｒａｉｚｅｄ」をＰ−ＣＳＣＦ２１に送信する（ステップＳ１０５）。Ｐ−ＣＳＣＦ２１は、Ｓ−ＣＳＣＦ１２からの「４０１  Ｕｎａｕｔｈｏｒａｉｚｅｄ」をユーザ端末３０に転送する（ステップＳ１０６）。
【００４７】
ユーザ端末３０は、位置関連情報を「ＲＥＧＩＳＴＥＲ」に含めて、Ｐ−ＣＳＣＦ２１に送信する（ステップＳ１０７）。ここでは、ユーザ情報３０は、位置関連情報として、ユーザ端末３０のアクセスネットワーク識別情報を「ＲＥＧＩＳＴＥＲ」の情報項目である「Ｐ−Ｖｉｓｉｔｅｄ−Ｎｅｔｗｏｒｋ−ＩＤ」に設定するとともに、位置情報及びアクセスネットワーク種別情報を「ＲＥＧＩＳＴＥＲ」の情報項目である「Ｐ−Ａｃｃｅｓｓ−Ｎｅｔｗｏｒｋ−Ｉｎｆｏ」に設定して、「ＲＥＧＩＳＴＥＲ」を送信する。
【００４８】
Ｐ−ＣＳＣＦ２１は、ユーザ端末３０からの位置関連情報を含む「ＲＥＧＩＳＴＥＲ」をＳ−ＣＳＣＦ１２に転送する（ステップＳ１０８）。なお、Ｐ−ＣＳＣＦ２１は、例えば、Ｉ−ＣＳＣＦなどの不図示の各種ノードを介して、「ＲＥＧＩＳＴＥＲ」をＳ−ＣＳＣＦ１２に送信してもよい。Ｓ−ＣＳＣＦ１２は、ユーザ端末３０の認証処理を行う（ステップＳ１０９）。
【００４９】
Ｓ−ＣＳＣＦ１２は、ユーザ端末３０の認証処理に成功すると、ＨＳＳ１３に対して、ステップＳ１０８で受信された位置関連情報を含む「Ｄｉａｍｅｔｅｒ  ＳＡＲ（Server  Assignment  Request）」を送信する（ステップＳ１１０）。ここでは、「Ｄｉａｍｅｔｅｒ  ＳＡＲ」は、ｉＦＣ要求信号として用いられており、位置関連情報としてユーザ端末３０のアクセスネットワーク識別情報、アクセスネットワーク種別情報及び位置情報が含まれる。なお、「Ｄｉａｍｅｔｅｒ  ＳＡＲ」には、位置関連情報以外にも、ユーザ端末３０の識別情報等が含まれてもよい。
【００５０】
ＨＳＳ１３は、Ｓ−ＣＳＣＦ１２からの「Ｄｉａｍｅｔｅｒ  ＳＡＲ」に含まれる位置関連情報に基づいて、ユーザ端末３０のｉＦＣを取得する（ステップＳ１１１）。具体的には、ＨＳＳ１３は、位置関連情報に関連付けられたｉＦＣをｉＦＣ記憶部１３２から取得する。例えば、位置関連情報として、事業者Ｂによって提供されるアクセスネットワークＢを示すアクセスネットワーク識別情報と、「ＤＤ」を示す位置情報と、「ＩＥＥＥ−８０２．１１ａ」を示すアクセスネットワーク種別情報と、が含まれる場合、ＨＳＳ１３は、これらに関連付けられたｉＦＣ＃２をｉＦＣ記憶部１３２から取得する。
【００５１】
ＨＳＳ１３は、取得したｉＦＣを「Ｄｉａｍｅｔｅｒ  ＳＡＡ（Server  Assignment  Answer）」を用いてＳ−ＣＳＣＦ１２に送信する（ステップＳ１１２）。Ｓ−ＣＳＣＦ１２は、ＨＳＳ１３から受信したｉＦＣとユーザ端末３０と関連付けてｉＦＣ記憶部１２３に記憶させる（ステップＳ１１３）。ここでは、ＨＳＳ１３は、ｉＦＣ＃２をＳ−ＣＳＣＦ１２に送信するので、Ｓ−ＣＳＣＦ１２は、ＨＳＳ１３から受信したｉＦＣ＃２をユーザ端末３０の識別情報と関連付けてｉＦＣ記憶部１２３に記憶させる。
【００５２】
Ｓ−ＣＳＣＦ１２は、Ｐ−ＣＳＣＦ２１に対して、ステップＳ１０８の「ＲＥＧＩＳＴＥＲ」に対する応答信号である「２００  ＯＫ」を送信する（ステップＳ１１４）。「２００  ＯＫ」とは、Ｓ−ＣＳＣＦ１２におけるユーザ端末３０の登録が完了したことを示す応答信号である。Ｐ−ＣＳＣＦ２１は、Ｓ−ＣＳＣＦ１２から受信した「２００  ＯＫ」をユーザ端末３０に転送する（ステップＳ１１５）。
【００５３】
ユーザ端末３０は、Ｐ−ＣＳＣＦ２１に対して、「ＩＮＶＩＴＥ」を送信する（ステップＳ１１６）。上述のように、「ＩＮＶＩＴＥ」とは、ユーザ端末３０のセッションの設定を要求するセッション設定要求信号である。なお、「ＩＮＶＩＴＥ」には、ユーザ端末３０の識別情報が含まれてもよい。
【００５４】
Ｐ−ＣＳＣＦ２１は、ユーザ端末３０から受信した「ＩＮＶＩＴＥ」をＳ−ＣＳＣＦ１２に送信する（ステップＳ１１７）。なお、Ｐ−ＣＳＣＦ２１は、例えば、Ｉ−ＣＳＣＦなどの不図示の各種ノードを介して、「ＩＮＶＩＴＥ」をＳ−ＣＳＣＦ１２に送信してもよい。
【００５５】
Ｓ−ＣＳＣＦ１２は、ｉＦＣ記憶部１２３に記憶されたユーザ端末３０のｉＦＣを参照し、受信した「ＩＮＶＩＴＥ」を転送すべきＡＳ１４を決定する（ステップＳ１１８）。例えば、ステップＳ１０６では、事業者Ｂに関連付けられたｉＦＣ＃２がＨＳＳ１３から受信され、Ｓ−ＣＳＣＦ１２のｉＦＣ記憶部１２３にユーザ端末３０と関連付けて記憶される。Ｓ−ＣＳＣＦ１２は、ｉＦＣ＃２を参照して、「ＩＮＶＩＴＥ」を転送すべきＡＳ１４を決定する。
【００５６】
Ｓ−ＣＳＣＦ１２は、ステップＳ１１１で決定されたＡＳ１４に対して、ステップＳ１１０で受信された「ＩＮＶＩＴＥ」を送信する（ステップＳ１１９）。「ＩＮＶＩＴＥ」を受信したＡＳ１４とユーザ端末３０との間において、Ｓ−ＣＳＣＦ１２を介したセッション設定処理が行なわれる。設定されたセッションを用いてＡＳ１４からユーザ端末３０に付加サービスが提供される。
【００５７】
（２）ＨＳＳ１３におけるｉＦＣの更新処理時の動作
図６は、ＨＳＳ１３におけるｉＦＣの更新処理時の動作を示すシーケンス図である。なお、図６において、図５のステップＳ１０１〜Ｓ１１５により、ユーザ端末３０のＳ−ＣＳＣＦ１２に対する登録処理は完了しているものとする。このため、Ｓ−ＣＳＣＦ１２のｉＦＣ記憶部１２３には、一例として、ユーザ端末３０の識別情報と、ｉＦＣ＃２とが関連づけて記憶されているものとする。
【００５８】
図６に示すように、ＨＳＳ１３は、所定のトリガに応じて、ｉＦＣ記憶部１３２に記憶されたｉＦＣを更新する（ステップＳ２０１）。例えば、ＨＳＳ１３は、ユーザ端末３０の契約変更がＨＳＳ１３に通知された場合に、当該契約変更に応じたｉＦＣにｉＦＣ記憶部１３２の記憶内容を更新する。
【００５９】
ＨＳＳ１３は、Ｓ−ＣＳＣＦ１２に対して、「Ｄｉａｍｅｔｅｒ  ＰＰＲ（Push-Profile-Request）」を送信する（ステップＳ２０２）。ここでは、「Ｄｉａｍｅｔｅｒ  ＰＰＲ」は、更新通知信号として用いられており、ステップＳ２０１において更新されたｉＦＣの更新内容が含まれる。
【００６０】
Ｓ−ＣＳＣＦ１２は、ＨＳＳ１３から受信した更新内容に基づいて、ｉＦＣ記憶部１２３に記憶されたｉＦＣを更新する（ステップＳ２０３）。Ｓ−ＣＳＣＦ１２は、「Ｄｉａｍｅｔｅｒ  ＰＰＲ」に対する応答信号である「Ｄｉａｍｅｔｅｒ  ＰＰＡ（Push-Profile-Answer）」をＨＳＳ１３に送信する（ステップＳ２０４）。ステップＳ２０４〜Ｓ２０８は、図５のステップＳ１１６〜Ｓ１１９と同様である。
【００６１】
本実施の形態に係る移動通信システムによれば、Ｓ−ＣＳＣＦ１２が、ユーザ端末３０の位置関連情報に関連付けられたｉＦＣをＨＳＳ１３から受信し、当該ｉＦＣが示すＡＳ１４に対してユーザ端末３０からの「ＩＮＶＩＴＥ」を転送する。このため、ｉＦＣ内においてユーザ端末３０の位置関連情報に関する判定条件を含める必要がなく、ｉＦＣを複雑化させずとも、ユーザ端末３０の位置関連情報に特有の付加サービスを提供するＡＳ１４とユーザ端末３０との間のセッションを設定でき、当該付加サービスをユーザ端末３０に提供できる。
【００６２】
また、本実施の形態に係る移動通信システムによれば、ユーザ端末３０の位置関連情報に対応したｉＦＣのみがＨＳＳ１３から取得されるので、全てのｉＦＣをＨＳＳ１３から取得する場合と比較して、ＨＳＳ１３とＳ−ＣＳＣＦ１２との間の信号負荷を軽減できる。
【００６３】
また、本実施の形態に係る移動通信システムによれば、ユーザ端末３０の位置関連情報に対応したｉＦＣだけが取得されるので、Ｓ−ＣＳＣＦ１２は、ｉＦＣ内を参照して位置関連情報に関する判定を行う必要がない。このため、Ｓ−ＣＳＣＦ１２が、ユーザ端末３０からの「ＩＮＶＩＴＥ」を転送するＡＳ１４を決定する際のｉＦＣの判断処理の負荷を軽減できる。
【００６４】
上述の実施の形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び更新態様として実施することができる。従って、本明細書の記載は、例示説明を目的とするものであり、本発明に対して何ら制限的な意味を有するものではない。
【符号の説明】
【００６５】
１０…事業者ＡのＩＭＳ
２０…事業者ＢのＩＭＳ
３０…ユーザ端末
１１…Ｐ−ＣＳＣＦ
１２…Ｓ−ＣＳＣＦ
１３…ＨＳＳ
１４…ＡＳ
２１…Ｐ−ＣＳＣＦ
１２１…送受信部
１２２…登録処理部
１２３…ｉＦＣ記憶部
１２４…セッション制御部
１２５…ｉＦＣ更新処理部
１３１…送受信部
１３２…ｉＦＣ記憶部
１３３…ｉＦＣ配信処理部
１３４…更新通知処理部
【図１】
2013012814.tif 000003
【図２】
2013012814.tif 000004
【図３】
2013012814.tif 000005
【図４】
2013012814.tif 000006
【図５】
2013012814.tif 000007
【図６】
2013012814.tif 000008